(57)【特許請求の範囲】
【請求項１】
電力量計の端子ブロックに設けられた一対の端子に一対の接続端子部が一対のねじにより接続されて前記一対の端子を短絡するブスバを備えている電力量計用バイパス工具であって、
絶縁材料から形成された一対のケース半部から構成され、前記ブスバの前記一対の接続端子部を露出した状態で前記ブスバを収納するケースと、
前記一対のケース半部のうち前記端子ブロックと対向しないように配置される一方の前記ケース半部と前記一対の接続端子部との間に配置されて、前記一対のねじの抜け止めを図る一対のねじ止め部材とからなり、
前記ねじは、前記端子ブロックの前記端子に設けられた雌ねじ部に螺合される雄ねじ部を一端に有し、他端にねじ頭部を有し、且つ、前記雄ねじ部と前記ねじ頭部との間に前記雄ねじ部の最大外径寸法以下の直径を有する非ねじ部を有しており、
前記ブスバの前記一対の接続端子部には、それぞれ前記ねじの前記雄ねじ部が貫通する端子部側貫通孔が形成されており、
前記一方のケース半部には、前記一対のねじの前記雄ねじ部が貫通する一対のケース側貫通孔が形成されており、
前記ねじ止め部材は、一端が前記ケース側貫通孔に嵌合され、他端が前記端子部側貫通孔を塞がないように前記接続端子部と当接し、内周部に径方向内側に突出する環状の突出部を備え、前記突出部の内周面に前記雄ねじ部が螺合した後、前記非ねじ部が貫通する雌ねじ部が形成された筒体を備えていることを特徴とする電力量計用バイパス工具。
【請求項２】
電力量計の端子ブロックに設けられた複数対の端子のうち第１の一対の端子に第１の一対の接続端子部が第１の一対のねじにより接続されて前記第１の一対の端子を短絡する第１のブスバと、前記複数対の端子のうち第２の一対の端子に第２の一対の接続端子部が第２の一対のねじにより接続されて前記第２の一対の端子を短絡する第２のブスバとを備えている電力量計用バイパス工具であって、
絶縁材料から形成された一対のケース半部から構成され、前記第１のブスバの前記第１の一対の接続端子部及び第２のブスバの前記第２の一対の接続端子部を露出した状態で前記第１のブスバ及び第２のブスバを収納するケースと、
前記一対のケース半部のうち前記端子ブロックと対向しないように配置される一方の前記ケース半部と前記第１のブスバの前記第１の一対の接続端子部及び前記第２のブスバの前記第２の一対の接続端子部との間に配置されて、前記第１の一対のねじ及び前記第２の一対のねじの抜け止めを図る第１の一対のねじ止め部材及び第２の一対のねじ止め部材とからなり、
前記ねじは、前記端子ブロックの前記端子に設けられた雌ねじ部に螺合される雄ねじ部を一端に有し、他端にねじ頭部を有し、且つ、前記雄ねじ部と前記ねじ頭部との間に前記雄ねじ部の最大外径寸法以下の直径を有する非ねじ部を有しており、
前記第１のブスバの前記第１の一対の接続端子部及び前記第２のブスバの前記第２の一対の接続端子部には、それぞれ前記ねじの前記雄ねじ部が貫通する端子部側貫通孔が形成されており、
前記一方のケース半部には、前記第１の一対のねじ及び前記第２の一対のねじの前記雄ねじ部が貫通する４つのケース側貫通孔が形成されており、
前記ねじ止め部材は、一端が前記ケース側貫通孔に嵌合され、他端が前記端子部側貫通孔を塞がないように前記接続端子部と当接し、内周部に径方向内側に突出する環状の突出部を備え、前記突出部の内周面に前記雄ねじ部が螺合した後、前記非ねじ部が貫通する雌ねじ部が形成された筒体を備えていることを特徴とする電力量計用バイパス工具。
【請求項３】
前記筒体の外周部には、前記一端側に前記ケース側貫通孔に嵌合される小径部が形成されて、該小径部に隣接して前記ケース側貫通孔の直径よりも直径寸法が大きい大径部を備えており、前記大径部の前記小径部側の端面が前記一方のケース半部と当接している請求項１または２に記載の電力量計用バイパス工具。
【請求項４】
前記ねじの前記非ねじ部に通した状態で、前記ねじ頭部と前記筒体の前記突出部との間に配置されるコイルばねをさらに備え、
前記コイルばねは、前記端子ブロックに前記ねじを螺合する際に蓄勢される請求項１または２に記載の電力量計用バイパス工具。
【請求項５】
前記ねじの前記雄ねじ部は、前記ねじが前記端子ブロックの前記端子に設けられた前記雌ねじ部に螺合されていない状態で、前記筒体及び前記端子部側貫通孔内に収納される長さ寸法を有している請求項１乃至４のいずれか１項に記載の電力量計用バイパス工具。
【請求項６】
前記一方のケース半部には、前記ねじの前記ねじ頭部の周囲を取り囲む隔壁部が形成されている請求項１乃至５のいずれか１項に記載の電力量計用バイパス工具。
【請求項７】
前記ねじは、先端部が尖り先である請求項１乃至６のいずれか１項に記載の電力量計用バイパス工具。
【請求項８】
前記一方のケース半部は、前記一対のケース側貫通孔に沿って延びる第１の長辺と、該１の長辺と対向する第２の長辺と、前記第１の長辺と前記第２の長辺とをつなぐ一対の短辺を有し、
前記一方のケース半部の正面には、前記第２の長辺に沿って作業者が片手で把持する把持用取っ手が設けられている請求項１に記載の電力量計用バイパス工具。
【請求項９】
前記一方のケース半部は、前記４つのケース側貫通孔に沿って延びる第１の長辺と、該１の長辺と対向する第２の長辺と、前記第１の長辺と前記第２の長辺とをつなぐ一対の短辺を有し、
前記一方のケース半部の正面には、前記第２の長辺に沿って作業者が片手で把持する把持用取っ手が設けられている請求項２に記載の電力量計用バイパス工具。
【請求項１０】
前記把持用取っ手は、細長い握り部と該握り部の両端に設けられた一対の脚部とからなり、
前記脚部及び前記握り部は、前記一方のケース半部と直交する方向に延びる板状を呈している請求項８または９に記載の電力量計用バイパス工具。
【請求項１１】
前記一方のケース半部には、前記第２の長辺を越えて延びる絶縁部が設けられている請求項８または９に記載の電力量計用バイパス工具。
【請求項１２】
前記絶縁部は、前記一方のケース半部と一体に成形されている請求項１１に記載の電力量計用バイパス工具。
【請求項１３】
前記絶縁部は、前記一方のケース半部の前記正面上に取り付けられた絶縁プレートである請求項１１に記載の電力量計用バイパス工具。
【請求項１４】
前記把持用取っ手は、前記一方のケース半部と一体に成形されている請求項８乃至１０のいずれか１項に記載の電力量計用バイパス工具。
【請求項１５】
前記把持用取っ手は、前記一方のケース半部に取り付けられる別部材から構成されている請求項８乃至１０のいずれか１項に記載の電力量計用バイパス工具。
【請求項１６】
前記一方のケース半部の前記一対の短辺には、前記ケースを前記端子ブロックに押し付ける際に、前記端子ブロックの一対の側面に沿って移動して前記端子ブロックを挟む一対のガイド壁が設けられている請求項８または９に記載の電力量計用バイパス工具。
【発明の詳細な説明】
【技術分野】
【０００１】
本発明は、電力量計の端子ブロックに設けられた端子間を短絡するブスバを備えている電力量計用バイパス工具に関するものである。
【背景技術】
【０００２】
電力量計は、精度の保証・維持を目的として、定期的に交換が必要となる。これは、検定有効期間の満了に伴う取替工事であり、検満工事とも呼ばれる。交換作業の際には、電力量計に接続されている電線を取り外す必要があることから、無停電で交換作業が行えるようにするために、従来から電力量計用バイパス工具が用いられている。電力量計用バイパス工具は、電力量計の端子ブロックに設けられた電源側の電線が接続された端子と、負荷側の電線が接続された端子の組み合わせからなる一対の端子を短絡し、短絡状態において、電力量計を交換するためのものである。従来の電力量計では、電力量計用バイパス工具を用いて電線の被覆を押し切って、電線とバイパス工具を電気的に接続している（例えば、特開２０１０−２１７１５５号公報［特許文献１］）。
【０００３】
最近は、計量電力をデジタル信号処理する機能と、デジタル信号を通信する通信機能とを持った電力量計である、いわゆるスマートメータが普及しつつある。スマートメータの端子ブロックの端子部分には、本願明細書に添付の図３（Ａ）に示すタイプの端子ブロックのように、雌ねじ部が形成されており、該雌ねじ部を利用して電力量計用バイパス工具を取り付け、端子を短絡することができるものがある。そのため、電線の被覆を押し切って接続する必要のある従来の電力量計に比べると電力量計用バイパス工具の取り付け作業は容易になっている。
【先行技術文献】
【特許文献】
【０００４】
【特許文献１】特開２０１０−２１７１５５号公報
【発明の概要】
【発明が解決しようとする課題】
【０００５】
電力量計用バイパス工具を用いた電力量計の交換作業は無停電で行うことから、作業者はねじの締め付け及び弛め作業を行う際に、絶縁手袋を使用する等、感電しないよう注意を払いながら作業を行う必要がある。また、電力量計は、壁の高所等の作業し難い場所に設置されていることが多い。そのため、端子ブロックの端子部分に形成された雌ねじ部を利用して電力量計用バイパス工具をねじ止めする場合及び工具を取り外す際には、細かな作業を要さず、ねじの締め付け及び弛め作業を、安全且つ容易に行えることが要求される。さらに、繰り返しの使用に耐える耐久性に優れていることも要求される。
【０００６】
本発明の目的は、電力量計の端子ブロックの端子部分に設けられた雌ねじ部を利用して、端子ブロックに電力量計用バイパス工具をねじ止めする際及び取り外す際に、ねじの落下を防ぎ、また、電力量計用バイパス工具を固定する作業により、端子ブロックの端子間を確実に短絡することができる電力量計用バイパス工具を提供することにある。
【０００７】
本発明の他の目的は、耐久性に優れ、また、部品交換が容易な電力量計用バイパス工具を提供することにある。
【０００８】
本発明のさらに他の目的は、搬送時の利便性が高い電力量計用バイパス工具を提供することにある。
【０００９】
本発明のさらに他の目的は、把持しやすく、ねじの締め付け作業がしやすい形状を有する電力量計用バイパス工具を提供することにある。
【００１０】
本発明のさらに他の目的は、作業者の把持する手が感電することを防止することが可能な電力量計用バイパス工具を提供することにある。
【００１１】
本発明のさらに他の目的は、複数タイプの端子ブロックに対応可能な電力量計用バイパス工具を提供することにある。
【課題を解決するための手段】
【００１２】
本発明は、電力量計の端子ブロックに設けられた一対の端子に一対の接続端子部が一対のねじにより接続されて一対の端子を短絡するブスバを備えている電力量計用バイパス工具を改良の対象としている。本発明の電力量計用バイパス工具は、絶縁材料から形成された一対のケース半部から構成され、ブスバの一対の接続端子部を露出した状態でブスバを収納するケースと、一対のケース半部のうち端子ブロックと対向しないように配置される一方のケース半部と一対の接続端子部との間に配置されて、一対のねじの抜け止めを図る一対のねじ止め部材とからなる。
【００１３】
ねじは、端子ブロックの端子に設けられた雌ねじ部に螺合される雄ねじ部を一端に有し、他端にねじ頭部を有し、且つ、雄ねじ部とねじ頭部との間に雄ねじ部の最大外径寸法以下の直径を有する非ねじ部を有している。ブスバの一対の接続端子部には、それぞれねじの雄ねじ部が貫通する端子部側貫通孔が形成されており、一方のケース半部には、ねじの雄ねじ部が貫通するケース側貫通孔が形成されている。そして、ねじ止め部材は、一端がケース側貫通孔に嵌合され、他端が端子部側貫通孔を塞がないように接続端子部と当接し、内周部に径方向内側に突出する環状の突出部を備え、突出部の内周面に雄ねじ部が螺合した後、非ねじ部が貫通する雌ねじ部が形成された筒体を備えている。
【００１４】
本発明の電力量計用バイパス工具によれば、ねじ止め部材の雌ねじ部を接続端子部側に越えた雄ねじ部は、ねじを引っ張りながら、ねじ止め部材の雌ねじ部にねじの雄ねじ部を螺合させた状態で、ねじを逆回ししない限り、ねじ止め部材からねじが抜け落ちることがない。そのため、作業者が絶縁手袋を装着しているような状況でも、電力量計用バイパス工具からねじが脱落することがないため、ねじの締め付け作業が容易である。また、ねじを端子ブロックの端子の雌ねじ部に螺合することで、接続端子部が端子ブロックの端子と確実に接触するため、端子ブロックの端子を確実に短絡することができる。さらに、電力量計用バイパス工具の本体部とねじを別々に運ぶ必要がないため、搬送時の利便性も向上する。
【００１５】
また、本発明の電力量計用バイパス工具は、ねじ止め部材をケースとは別部材としているため、ねじ止め部材が備える筒体の内部に環状の突出部を設け、この突出部に雌ねじ部を形成することが、容易に行える。またブスバの数が異なった場合にも、ねじ止め部材を汎用部品として使用することができるので、電力量計用バイパス工具の価格の低減化を図ることができる。また端子ブロックの端子に設けられた雌ねじ部の径寸法が異なった場合にも、ねじ止め部材を交換することにより対応することができる。さらに、ねじの締緩を繰り返し、ねじが筒体内を動くことによって、ねじ止め部材の雌ねじ部が摩耗したり欠けてしまって交換を要するような場合には、ケースを分解することで、ケースからねじ止め部材を容易に取り外し、交換することが可能である。なお、ねじ止め部材を構成する筒体の材料は任意であるが、組み合わせるねじとの間における摩耗に対する耐久性を高め、また、温度変化によって形状が変化し難いものとするため、ねじ止め部材を構成する筒体は、金属製やセラミック製等の部材であることが望ましい。
【００１６】
ブスバの数は、短絡する端子ブロックの端子の対の数に応じた数が必要となる。例えば、短絡する端子ブロックの端子の対が１つの場合には、ブスバは１つ備えていればよい。短絡する端子ブロックの端子の対が２つの場合には、ブスバは２つ備えていればよい。
【００１７】
また、電力量計の端子ブロックに設けられた複数対の端子のうち、短絡する必要のある端子の対が一部の場合には、その数に応じたブスバを備えていればよい。例えば、複数対の端子がある場合、電力量計の端子ブロックに設けられた複数対の端子のうち第１の一対の端子に第１の一対の接続端子部が第１の一対のねじにより接続されて第１の一対の端子を短絡する第１のブスバと、複数対の端子のうち第２の一対の端子に第２の一対の接続端子部が第２の一対のねじにより接続されて第２の一対の端子を短絡する第２のブスバとを備えるようにすればよい。このように第１及び第２のブスバが一つの電力量計用バイパス工具に設けられている場合には、端子ブロックへの２つのブスバの取付を１回の取付作業で行うことができる。
【００１８】
ケース側貫通孔に筒体を嵌合する構成は任意であるが、例えば、筒体の外周部に、一端側にケース側貫通孔に嵌合される小径部を形成しておき、該小径部に隣接してケース側貫通孔の直径よりも直径寸法が大きい大径部を備え、大径部の小径部側の端面が一方のケース半部と当接するように構成することができる。このように構成すれば、筒体の小径部をケース側貫通孔に挿入するだけで筒体を固定することができる。
【００１９】
ねじの非ねじ部に通した状態で、ねじ頭部と筒体の突出部との間に配置され、端子ブロックにねじを螺合する際に蓄勢されるコイルばねをさらに備えるようにしてもよい。このようにコイルばねを設けると、ねじが端子ブロックの雌ねじ部にねじの雄ねじ部を螺合させた状態において、コイルばねの蓄勢力がねじの頭部をケースから離す方向に作用して、ねじが弛むことを防止する。またねじが端子ブロックの雌ねじ部に螺合していない状態では、筒体の延びる方向にねじの軸の向きが保持され、電力量計用バイパス工具の取り付け作業が容易になる。また、端子ブロックに取り付けていない状態では、コイルばねが伸びることで、筒体内にねじの一部が引き込まれることにより可搬性も向上する。
【００２０】
なお、より可搬性を向上させ、また、ねじの雄ねじ部を保護するためには、雄ねじ部が、ねじが端子ブロックの端子に設けられた雌ねじ部に螺合されていない状態で、筒体及び端子部側貫通孔内に収納される長さ寸法を有するようにすればよい。特に、上記のコイルばねを備えている場合には、コイルばねが伸びることで、雄ねじ部が筒体及び端子部側貫通孔によって形成される空間内に自動的に引き込まれることになるため、より効果的である。
【００２１】
一方のケース半部には、ねじのねじ頭部の周囲を取り囲む隔壁部を形成してもよい。このようにすれば、隣接するねじとの沿面距離を延ばすことができ、絶縁性を高めることができる。
【００２２】
ねじの先端形状は任意である。例えば、先端部を尖り先（円錐形状）にしておけば、端子ブロックの端子に設けられた雌ねじ部に螺合する際に、ねじの先端を雌ねじ部に挿入する位置決めがしやすくなる。
【００２３】
本発明の電力量計用バイパス工具は、ケースの端子ブロックと対面する壁部とは反対側に位置する反対側壁部に、ねじの締め付け作業をする際にケースを端子ブロックに押し付けるときに、ねじの締め付け作業を阻害しない位置に、作業者が片手で把持する把持用取っ手が設けられていてもよい。ねじの締め付け作業を阻害しない位置に把持用取っ手が存在すれば、作業者は、把持用取っ手を把持しながら電力量計用バイパス工具を端子ブロックに押し付けて、ねじの締め付け作業をすることができるので、作業性が向上する。把持用取っ手は、反対側壁部と一体に形成されていてもよく、また、反対側壁部とは別部材により構成されていてもよい。
【００２４】
把持用取っ手の配置位置は、ねじの締め付け作業を阻害しない位置であればよいが、例えば、１以上のブスバの一対の接続端子部が、ケースの一辺に沿って配置されている場合には、把持用取っ手は、ケースの一辺と対向する他の一辺に沿って延びるように配置されていることが望ましい。この位置に把持用取っ手を配置すれば、作業中に高電圧が現れる接続端子部及びねじと、把持用取っ手を把持している作業者の手との間の距離を長くすることができ、感電事故の発生を防止することができる。
【００２５】
把持用取っ手の形状は任意である。例えば、細長い握り部と該握り部の両端に設けられた一対の脚部とからなり、脚部及び握り部は、ケースの反対側壁部と直交する方向に延びる板状を呈する形状でもよい。この形状であれば、作業者が絶縁手袋を装着していても握りやすい形状である。
【００２６】
作業者の親指が把持用取っ手よりも他の一辺側に位置するように作業者が把持用取っ手を握った場合、親指がケースの輪郭を越えた位置に届く可能性がある。この場合に、端子ブロックの形状によっては、親指が端子ブロックの端子や端子に接続された電線等に触れてしまう可能性がある。このような場合のために、親指が位置する領域を越えて延びる絶縁部を設けておくことが望ましい。
【００２７】
この絶縁部は、ケースと一体に成形されているものでもよい。また、絶縁部は、反対側壁部の上に取り付けられた絶縁プレートでもよい。絶縁プレートに、把持用取っ手が通るスリット状の貫通孔が設けられていれば、貫通孔に把持用取っ手を通すことで簡単に絶縁プレートを取り付けることができる。
【００２８】
なお、絶縁部を絶縁プレートで構成した場合には、ケースとは別部品として絶縁プレートを用意することができる。そのため、作業者の親指が端子ブロックの端子や端子に接続された電線等に触れてしまう可能性があるタイプの端子ブロックに電力量計用バイパス工具を取り付ける場合にのみ絶縁プレートを取り付けて、他のタイプの端子ブロックに電力量計用バイパス工具を取り付ける場合には、絶縁プレートを取り外しておく、というように、複数タイプの端子ブロックに対応可能な電力量計用バイパス工具を得ることが可能である。
【００２９】
端子ブロックの複数の端子には、底面に設けられた電線用孔部を通して、複数の電線が接続されている。電線を固定するねじ（図３（Ａ）参照）は、端子ブロックの表面から飛び出ないように端子ブロック内に収納されるものであるが、接続する電線の径の太さや、端子ブロックの種類によっては、電線を固定するねじが端子ブロックの表面を越えて飛び出した状態で固定される場合がある。この場合に、電力量計用バイパス工具を用いた作業を行おうとした場合、電力量計用バイパス工具の接続端子部が誤って電線を固定するねじに触れてしまい、予期しない短絡を生じさせてしまう可能性がある。そこで、端子ブロックに対する電力量計用バイパス工具の位置決めをするためのガイド壁を設けることができる。ガイド壁は、１以上のブスバの一対の接続端子部が、ケースの一辺に沿って配置されている場合、ケースの一辺の両端側に位置して一辺と交差する方向に延びる一対の辺に、一対設けるようにすればよい。一対のガイド壁により、ケースを端子ブロックに押し付ける際に、端子ブロックの一対の側面と対向して端子ブロックに対するケースの一辺が延びる方向の位置決めをすることができる。一対のガイド壁により、電力量計用バイパス工具の接続端子部が誤って電線を固定するねじに触れてしまうことがなくなる。
【００３０】
一対のガイド壁は、一方のケース半部と一体に成形されていてもよく、また、反対側壁部に固定される別部材であるガイド壁構成部材から構成されていてもよい。別部材のガイド壁構成部材を用意する場合には、一対のガイド壁が設けられた１つのガイド壁構成部材を用意してもよい。また、ケースの対向する一対の辺にそれぞれ固定された一対の分割ガイド壁構成部材を用意してもよい。
【図面の簡単な説明】
【００３１】
【図１】本実施の形態の電力量計用バイパス工具の分解斜視図である。
【図２】（Ａ）は、本実施の形態の電力量計用バイパス工具の平面図、（Ｂ）は、正面図、（Ｃ）は、底面図、（Ｄ）は、背面図、（Ｅ）は、右側面図である。
【図３】（Ａ）は、電力量計用バイパス工具と電力量計用バイパス工具を取り付ける第１のタイプの端子ブロックを示す斜視図であり、（Ｂ）は、電力量計用バイパス工具を第１のタイプの端子ブロックに取り付けた状態を示す斜視図である。
【図４】（Ａ）は、電力量計用バイパス工具を端子ブロックに押し付けた状態を示す拡大断面図であり、（Ｂ）は、電力量計用バイパス工具を端子ブロックにねじ止めした状態を示す拡大断面図である。
【図５】第２の実施の形態の電力量計用バイパス工具の分解斜視図である。
【図６】（Ａ）は、電力量計用バイパス工具と電力量計用バイパス工具を取り付ける第２のタイプの端子ブロックを示す斜視図であり、（Ｂ）は、電力量計用バイパス工具を第２のタイプの端子ブロックに取り付けた状態を示す斜視図である。
【図７】第３の実施の形態の電力量計用バイパス工具に用いる、絶縁プレートを示す図である。
【図８】第３の実施の形態の電力量計用バイパス工具を第２のタイプの端子ブロックに取り付けた状態を示す斜視図である。
【図９】第４の実施の形態の電力量計用バイパス工具を示す図であり、（Ａ）は、電力量計用バイパス工具と電力量計用バイパス工具を取り付ける第１のタイプの端子ブロックを示す斜視図であり、（Ｂ）は、電力量計用バイパス工具を第１のタイプの端子ブロックに取り付けた状態を示す斜視図である。
【図１０】第５の実施の形態の電力量計用バイパス工具を示す図であり、（Ａ）は、電力量計用バイパス工具と電力量計用バイパス工具を取り付ける第１のタイプの端子ブロックを示す斜視図であり、（Ｂ）は、電力量計用バイパス工具を第１のタイプの端子ブロックに取り付けた状態を示す斜視図である。
【図１１】第６の実施の形態の電力量計用バイパス工具を示す図であり、（Ａ）は、電力量計用バイパス工具と電力量計用バイパス工具を取り付ける第１のタイプの端子ブロックを示す斜視図であり、（Ｂ）は、電力量計用バイパス工具を第１のタイプの端子ブロックに取り付けた状態を示す斜視図である。
【発明を実施するための形態】
【００３２】
以下、図面を参照して本発明の電力量計用バイパス工具の実施の形態を詳細に説明する。図１は、本実施の形態の電力量計用バイパス工具の分解斜視図であり、図２（Ａ）は、本実施の形態の電力量計用バイパス工具の平面図、（Ｂ）は、正面図、（Ｃ）は、底面図、（Ｄ）は、背面図、（Ｅ）は、右側面図である。なお、左側面図は、右側面図と左右対称に現れるため、図示を省略している。
【００３３】
まず、本願明細書においては、図１に示すように、電力量計用バイパス工具１に対して複数の方向を定めている。すなわち、右方向Ｒｉ及び左方向Ｌｅからなる左右方向（第１の方向Ｄ１）、前方方向Ｆｏ及び後方方向Ｒｅからなる前後方向（第２の方向Ｄ２）、上方向Ｕｐ及び下方向Ｌｏからなる上下方向（第３の方向Ｄ３）を図１に示すように定義している。図３に示した構造の説明でも、図１の説明に用いる方向と同じ方向を用いている。
【００３４】
［各部品の構成］
図１及び図２（Ａ）〜（Ｅ）に示す電力量計用バイパス工具１は、３線式の１２０Ａ用のスマートメータ（電力量計）に用いられる端子ブロックに対して使用する電力量計用バイパス工具である。図１の分解斜視図に示すように、本実施の形態の電力量計用バイパス工具１は、主に、ケース３と、ケース３内に収納される２本のブスバ５，７と、４本のねじ９と、ねじ９に対応した筒体によって構成される４つのねじ止め部材１１とから構成されている。
【００３５】
＜ケース＞
ケース３は、第１の方向Ｄ１に長辺が延び、第３の方向Ｄ３に短辺が延びる矩形状であり、一対のケース半部１３，１５が組み合わされて構成されている。一対のケース半部１３，１５は、絶縁樹脂等の絶縁材料により形成されている。一方のケース半部１５が後述の端子ブロックと対向する側であり、他方のケース半部１３がその反対側に位置して端子ブロックとは対向しないケース半部である。ケース半部１３の上側の長辺１７の近傍には、長辺１７に沿って、ねじ止め部材１１が嵌合される４つのケース側貫通孔１９が形成されている。ケース側貫通孔１９のケース半部１３の正面側には、ねじ９のねじ頭部９Ｂを取り囲む隔壁部１９Ａが形成されており、裏面側には、ねじ止め部材１１を支えるねじ止め部材支持部１９Ｂが形成されている。また、長辺１７の近傍には、ケース側貫通孔１９と並んで、位置決め用膨出部２０も形成されている。本実施の形態では、後述のように、端子ブロックの内部で２Ｓ（電源側）と２Ｌ（負荷側）間は電気的に接続されているため、そのためのブスバは備えておらず、ブスバの端子接続部の代わりに、電力量計用バイパス工具１を端子ブロックに取り付けた場合の端子ブロックの２Ｓ（電源側）の電線が接続された端子の位置に対応する位置に位置決め用膨出部２０が形成されている。本実施の形態では、端子ブロックの２Ｌ（負荷側）の電線が接続された端子の位置に対応する位置には膨出部は形成されていないが、形成しておいてもよいのはもちろんである。
【００３６】
長辺１７と対向する下方向Ｌｏに位置する長辺２１の近傍には、長辺２１のケース半部１３の正面側に沿って延びる把持用取っ手２３が設けられている。把持用取っ手２３は、細長い握り部２５と該握り部２５の両端に設けられた一対の脚部２７，２７とからなり、ケース半部１３と一体に成形されている。握り部２５及び脚部２７は、ケース半部１３の壁部と直交する方向に延びる板状である。
【００３７】
ケース半部１３の一対の短辺２９，２９の近傍には、短辺２９に沿って延び、ケース半部１５の方向に向かって凸になった係合部３１，３１が形成されている。係合部３１，３１は、ケース半部１５に形成された被係合部３３，３３とスナップフィット構造を形成しており、係合部３１，３１を被係合部３３，３３に嵌め合わせることにより、ケース半部１３とケース半部１５とが係合されてケース３が構成される。
【００３８】
ケース半部１３の正面には、ねじ及び端子ブロックの対応する端子の対応関係を示す電線表示３７が記されている。
【００３９】
ケース半部１３と対面するケース半部１５の内壁部には、ブスバ５，７が収納される、ブスバ収納凹部３９，４１が形成されている。ブスバ収納凹部３９，４１は、ケース半部１３に向かって開口している。ブスバ収納凹部３９は、ケース半部１５の長辺４５を除く３辺に沿って形成された周壁部４０Ａと、周壁部４０Ａの内側に形成された中央周壁部４０Ｂと、ケース半部１５の内壁部によって囲まれて形成された正面視でＵ字状を呈している。ブスバ収納凹部４１は、中央周壁部４０Ｂとケース半部１５の内壁部によって囲まれて形成された正面視で矩形状を呈している。ブスバ収納凹部３９には、中央周壁部４０Ｂからブスバ収納凹部３９内に向かって第２の方向Ｄ２に突出した係止片４３，４３が２箇所形成されている。係止片４３，４３によって、ブスバ収納凹部３９の一部が狭くなっており、ブスバ収納凹部３９内に収納されたブスバ５が左右方向に移動することを阻止する構造となっている。また、ブスバ収納凹部３９には、ケース半部１５の上側の長辺４５に沿う箇所に上方向に向かって開口した開口部４７，４７が形成されており、ブスバ５を収納した状態で、ブスバ５の端部に設けられた一対の接続端子部４８，４９をケース３の外に露出させるようになっている。
【００４０】
ブスバ収納凹部４１には、中央周壁部４０Ｂからブスバ収納凹部４１内に向かって第２の方向Ｄ２に突出した係止片５１，５１と、第３の方向Ｄ３に突出した係止片５３，５３が形成されており、さらに、ブスバ収納凹部４１の中央部には、Ｔ字形係止片５５も形成されている。係止片５１，５１、５３，５３及びＴ字形係止片５５に沿うようにブスバ７を収納することで、ブスバ収納凹部４１内に収納されたブスバ７が移動しにくい構造になっている。また、ブスバ収納凹部４１にも、長辺４５に沿う位置に上方向に向かって開口した開口部５７，５７が形成されており、ブスバ７を収納した状態で、ブスバ７の端部に設けられた一対の接続端子部５８，５９をケース３の外に露出させるようになっている。
【００４１】
ケース半部１５の一対の短辺４６，４６の近傍には、短辺４６に沿って延びる、貫通した溝状の被係合部３３，３３が形成されている。
【００４２】
＜ブスバ＞
ブスバ５，７は、金属製の板を所定の形状に打ち抜いて形成されており、端部には、それぞれ一対の接続端子部４８，４９及び５８，５９が形成されている。ブスバ５は、正面から見てＵ字形であり、端子ブロックの最も外側に位置する１Ｓ（電源側）と１Ｌ（負荷側）の電線が接続された一対の端子を短絡するものである。ブスバ７は、端子ブロックの最も内側に位置する３Ｓ（電源側）と３Ｌ（負荷側）の電線が接続された一対の端子を短絡するものであり、ブスバ収納凹部４１を形成している中央周壁部４０Ｂに沿う形状をしている。本実施の形態では、端子ブロックの内部で２Ｓ（電源側）と２Ｌ（負荷側）間は電気的に接続されているため、２Ｓ（電源側）と２Ｌ（負荷側）のためのブスバは備えていない。
【００４３】
一対の接続端子部４８，４９は、ブスバ５の端部を曲げ加工して階段状に形成されており、ブスバ５の板面と平行に延びる端子接触部４８Ａ，４９Ａと、ブスバ５の板面及び端子接触部４８Ａ，４９Ａと直交する直交部４８Ｂ，４９Ｂを有している。同様に、一対の接続端子部５８，５９は、ブスバ７の端部を曲げ加工して階段状に形成されており、ブスバ７の板面と平行に延びる端子接触部５８Ａ，５９Ａと、ブスバ７の板面及び端子接触部５８Ａ，５９Ａと直交する直交部５８Ｂ，５９Ｂを有している。端子接触部４８Ａ，４９Ａには、端子部側貫通孔４８Ｃ，４９Ｃが形成されており、端子接触部５８Ａ，５９Ａには、端子部側貫通孔５８Ｃ，５９Ｃが形成されている。
【００４４】
＜ねじ＞
図１に示すように、ねじ９は、一端に雄ねじ部９Ａを有し、他端にねじ頭部９Ｂを有し、且つ、雄ねじ部９Ａとねじ頭部９Ｂとの間に雄ねじ部９Ａの最大外径寸法以下の直径を有する非ねじ部９Ｃを有している。先端部は、尖り先になっている。ねじ止め部材１１にねじ９を固定する際には、ねじ９の先端部側から、ワッシャー６１及びコイルばね６３を順に通して、非ねじ部９Ｃの部分にワッシャー６１及びコイルばね６３を取り付けるようになっている。
【００４５】
＜ねじ止め部材＞
ねじ止め部材１１は、第２の方向Ｄ２に貫通孔を向けた金属製の筒体から構成されており、外周部には、ケース側貫通孔１９に嵌合される小径部１１Ａと、小径部１１Ａと隣接してケース側貫通孔１９よりも直径寸法が大きい大径部１１Ｂを備えている。ケース半部１３の裏面方向からケース側貫通孔１９に小径部１１Ａを挿入することで、大径部１１Ｂの端面がケース側貫通孔１９の周囲と当接し、ねじ止め部材１１はケース半部１３に対して固定されている。ねじ止め部材１１の内周部には、径方向内側に突出する環状の突出部６５が備えられている。突出部６５の内周面には、ねじ９の雄ねじ部９Ａが螺合する雌ねじ部６７が形成されている（後述の図４参照）。なお、本実施の形態では、耐久性及び耐熱性を考慮して、ねじ止め部材１１は金属製としているが、セラミック等他の材料を用いてもよいのはもちろんである。
【００４６】
［組み立て］
電力量計用バイパス工具１は、図１に示されるように、次のように組み立てられている。
（１）ケース半部１３のケース側貫通孔１９にケース半部１３の裏面側からねじ止め部材１１を取り付ける。ねじ止め部材１１は、大径部１１Ｂの端面がケース側貫通孔１９の周囲と当接するまでケース側貫通孔１９に挿入する。
（２）端子部貫通孔４８Ｃ，４９Ｃ及び５８Ｃ，５９Ｃの中心が、ねじ止め部材１１の中心と整合するようにブスバ５，７を配置する。
（３）（１）及び（２）の後、係合部３１，３１を被係合部３３，３３に係合させ、ケース半部１３にケース半部１５を嵌め合わせる。これにより、ブスバ５，７は、一対のケース半部１３，１５によって狭持され、また、ねじ止め部材１１が、端子部側貫通孔４８Ｃ，４９Ｃ，５８Ｃ，５９Ｃを塞がないように、ブスバ５，７の接続端子部の端子接触部４８Ａ，４９Ａ，５８Ａ，５９Ａと当接する。
（４）（３）の後、非ねじ部９Ｃ部分にワッシャー６１及びコイルばね６３を通した状態のねじ９を、ケース半部１３の正面側からねじ止め部材１１に取り付ける。ねじ９を取り付ける際は、ねじ止め部材１１内の突出部６５を非ねじ部９Ｃが貫通するようになるまで、突出部６５に形成された雌ねじ部６７を越えるように雄ねじ部９Ａを螺合する。これにより、ねじ９を引っ張りながら、ねじ止め部材１１の雌ねじ部６７にねじ９の雄ねじ部９Ａを螺合させた状態で、ねじ９を逆回ししない限り、ねじ止め部材１１からねじ９が抜け落ちることがない。
【００４７】
［端子ブロックへの取り付け］
図３（Ａ）は、電力量計用バイパス工具と電力量計用バイパス工具を取り付ける第１のタイプの端子ブロックを示す斜視図であり、（Ｂ）は、電力量計用バイパス工具を第１のタイプの端子ブロックに取り付けた状態を示す斜視図である。端子ブロック６９には、計器類及び電線が接続されているが、図３では、図示を省略している。
【００４８】
端子ブロック６９は、３線式の１２０Ａのスマートメータの端子ブロックである。端子ブロック６９は、絶縁性の端子ブロック本体７１内に相互に電気的に接続された金属製の端子が複数内蔵されて構成されている。端子ブロック６９の端子は、最も外側に位置する１Ｓ（電源側）と１Ｌ（負荷側）の電線が接続された一対の端子７３Ａ，７３Ｂ、２Ｓ（電源側）と２Ｌ（負荷側）の電線が接続された一対の端子７５Ａ，７５Ｂ、及び、最も内側に位置する３Ｓ（電源側）と３Ｌ（負荷側）の電線が接続された一対の端子７７Ａ，７７Ｂの計６つである。図示しない各電線は、端子ブロック本体７１の底面に設けられた電線用孔部（図示せず）を通して、各端子に接続されている。
【００４９】
図３（Ａ）に示すように、端子ブロック６９の下方前面部には、端子７３Ａ，７３Ｂ、７５Ａ，７５Ｂ、７７Ａ，７７Ｂの一部がそれぞれ露出する、開口部７９Ａ，７９Ｂ、８１Ａ，８１Ｂ、８３Ａ，８３Ｂが形成されている。各端子には、開口部の位置に雌ねじ部７４Ａ，７４Ｂ、７６Ａ，７６Ｂ、７８Ａ，７８Ｂが形成されている。電力量計用バイパス工具１は、該雌ねじ部を利用して端子ブロック６９に固定するものである。
【００５０】
図３（Ａ）に示すように、端子ブロック６９に電力量計用バイパス工具１を取り付ける際には、電線表示３７を参考にして、まず、端子接触部４８Ａ，４９Ａが開口部７９Ａ，７９Ｂに対向するように、端子接触部５８Ａ，５９Ａが開口部８３Ａ，８３Ｂに対向するように、そして、位置決め用膨出部２０が開口部８１Ａに対向するように端子ブロック６９の正面に電力量計用バイパス工具１を構える。この際は、作業者は、把持用取っ手２３を片手で把持していると作業がしやすく、また、把持用取っ手２３がねじ９から離れた位置に設けられているため、把持している作業者の手が電圧の現れている部分から離れ、安全に作業を行うことが可能である。次に、図３（Ｂ）に示すように、端子ブロック６９に電力量計用バイパス工具１を押し付け、端子の雌ねじ部７４Ａ，７４Ｂ、７８Ａ，７８Ｂにそれぞれのねじ９を螺合する。この作業により、端子接触部４８Ａと端子７３Ａとが、端子接触部４９Ａと端子７３Ｂとが接触し、ブスバ５により電源側と負荷側が短絡する。同様に、端子接触部５８Ａと端子７７Ａとが、端子接触部５９Ａと端子７７Ｂとが接触し、ブスバ７により電源側と負荷側が短絡する。この短絡状態の間に、計量器を交換する。
【００５１】
図４は、本実施の形態の電力量計用バイパス工具１のねじ９の抜け止め構造（ねじ９とねじ止め部材１１の係合構造）の詳細を示す図である。図４（Ａ）は、電力量計用バイパス工具を端子ブロックに押し付けた状態を示す断面図であり、（Ｂ）は、電力量計用バイパス工具を端子ブロックにねじ止めした状態を示す断面図である。基本的な構造はいずれの部分でも共通であるため、ここでは、端子７３Ａと、端子７３Ａに取り付けられる接続端子部４８を例にして示している。
【００５２】
図４（Ａ）に詳細に示しているように、ねじ止め部材１１は、ケース半部１３に設けられたケース側貫通孔１９に小径部１１Ａを挿入することで、大径部１１Ｂの端面がケース側貫通孔１９の周囲と当接し、ねじ止め部材１１はケース半部１３に対して固定されている。そして、ブスバ５が、ケース半部１３とケース半部１５により狭持されて固定されることにより、ねじ止め部材１１と、ブスバ５の接続端子部の端子接触部４８Ａとが当接している。ねじ止め部材１１は、端子部側貫通孔４８Ｃを塞がないように、端子接触部４８Ａと当接しており、筒体であるねじ止め部材１１と、端子部側貫通孔４８Ｃとが連通し、ねじ９が貫通するようになっている。このように構成されているため、ねじ止め部材１１は、ケース３に対して確実に固定されているが、交換を要する際には、ケース３をケース半部１３とケース半部１５に分解することにより（及び必要に応じてねじ９を取り外すことにより）、容易に取り外しが可能である。
【００５３】
ねじ９は、非ねじ部９Ｃがねじ止め部材１１の突出部６５の雌ねじ部６７を貫通するように通されている。ねじ９の雄ねじ部９Ａが突出部６５に形成した雌ねじ部６７を抜けた状態において、雄ねじ部９Ａが突出部６５の端部と係合することで、ねじ９がねじ止め部材１１から抜け落ちないようになっている。また、ねじ９が端子ブロック６９の雌ねじ部７４Ａに螺合していない状態では、ねじ頭部９Ｂ（ワッシャー６１含む）及び突出部６５の端部と接触し、引き離す方向に加わるコイルばね６３の力の作用により、雄ねじ部９Ａがねじ止め部材１１と端子部側貫通孔４８Ｃによって形成される空間Ｓ内に引き込まれ、且つ、筒体（ねじ止め部材１１）の延びる方向にねじ９の軸の向きが保持され、電力量計用バイパス工具１の取り付け作業が容易になっている。なお、本実施の形態では、雄ねじ部９Ａの長さ寸法Ｌ１が、ねじ止め部材１１の突出部６５の端部から端子部側貫通孔４８Ｃまでの長さ寸法Ｌ２よりも短くなるように設定されているため、雄ねじ部９Ａは、空間Ｓ内に完全に収納されている。そのため、電力量計用バイパス工具１の可搬性が向上し、また、雄ねじ部９が保護されている。
【００５４】
図４（Ｂ）は、ねじ９を端子７３Ａの雌ねじ部７４Ａに螺合させた状態を示している。図示しないドライバを用いてねじ９を端子７３Ａ方向に押すと、雄ねじ部９Ａが空間Ｓ内から押し出され、その状態でねじ９を回転させることで、雄ねじ部９Ａと雌ねじ部７４Ａとが螺合する。ねじ９の先端部は、尖り先になっているため、雌ねじ部７４Ａにねじ９を挿入する位置決めが容易になっている。ねじ頭部９Ｂ（ワッシャー６１含む）がねじ止め部材１１の小径部１１Ａの端面に当接するまでねじ９を回転させ、ねじ９を螺合させる過程で、コイルばね６３は蓄勢される。このことにより、コイルばね６３の蓄勢力がねじ頭部９Ｂをケース３から離す方向に作用して、ねじ９が弛むことを防止する。ねじ頭部９Ｂ（ワッシャー６１含む）がねじ止め部材１１の小径部１１Ａの端面に当接する構造を採用すると、ケース３が損傷を受けることがない。そしてねじ止め部材１１の小径部１１Ａの端面や、突出部６５に形成した雌ねじ部６７が摩耗した場合には、ねじ止め部材１１を交換すればよく、工具の寿命を延ばすことができる。
【００５５】
［第２の実施の形態］
図５は、第２の実施の形態の電力量計用バイパス工具の分解斜視図であり、図６（Ａ）は、電力量計用バイパス工具と電力量計用バイパス工具を取り付ける第２のタイプの端子ブロックを示す斜視図であり、（Ｂ）は、電力量計用バイパス工具を第２のタイプの端子ブロックに取り付けた状態を示す斜視図である。図５及び図６には、図１乃至図４に示した実施の形態と同じ部材には、図１乃至図４に付した符号の数に１００の数を加えた数の符号を付して説明を省略する。
【００５６】
第２の実施の形態の電力量計用バイパス工具１０１は、図６（Ａ）に示した第２のタイプの端子ブロック１６９に対応した電力量計用バイパス工具である。第２のタイプの端子ブロック１６９は、第１の実施の形態と同じ３線式の１２０Ａ用のスマートメータ（電力量計）の端子ブロックであるが、その形状及び構成が異なり、端子１７３Ａ，１７３Ｂ、１７７Ａ，１７７Ｂと、端子の一部が露出する開口部１７９Ａ，１７９Ｂ、１８３Ａ，１８３Ｂ及び開口部１８１Ａが端子ブロック１６９の上方に備えられており、また、その下方に電線（図示せず）が露出した状態で接続される電線接続部１８５が開口していることが第１の実施の形態と大きく異なる。第２のタイプの端子ブロックに接続する電線は、先端に圧着端子をかしめて、端子ブロックの電線接続部１８５に接続されている。
【００５７】
第２のタイプの端子ブロック１６９に、第１の実施の形態の電力量計用バイパス工具１を取り付けようとすると、作業者が電線接続部１８５や電線に触れてしまい、感電事故が発生してしまう可能性がある。すなわち、作業者の親指が把持用取っ手２３よりも長辺２１側に位置するように作業者が把持用取っ手２３を握った場合、親指がケース３の輪郭を越えた位置に届く可能性がある。この場合に、親指が端子ブロック１６９の電線接続部１８５や電線に触れてしまう可能性がある。このような場合のために、第２の実施の形態の電力量計用バイパス工具１０１は、親指が位置する領域を越えて延びる絶縁部１８７を設けている。
【００５８】
絶縁部１８７は、ケース半部１１３の長辺１２１から下側方向に延びるように設けられたケース半部１１３の延長部分であり、絶縁部１８７とケース半部１１３は、一体に成形されている。絶縁部１８７を設けたことにより、図６（Ｂ）に示すように、取り付け作業中に絶縁部１８７が電線接続部１８５の部分を覆い、作業者の親指が電線接続部１８５や電線に触れてしまう可能性がなくなる。
【００５９】
［第３の実施の形態］
図７は、第３の実施の形態の電力量計用バイパス工具に使用する絶縁プレートを示す図であり、図８は、第３の実施の形態の電力量計用バイパス工具を第２のタイプの端子ブロックに取り付けた状態を示す斜視図である。図７及び図８には、図１乃至図４に示した実施の形態と同じ部材には、図１乃至図４に付した符号の数に２００の数を加えた数の符号を付して説明を省略する。
【００６０】
第３の実施の形態の電力量計用バイパス工具２０１は、第２の実施の形態の電力量計用バイパス工具１０１と同様、第２のタイプの端子ブロック２６９に対応した電力量計用バイパス工具である。第３の実施の形態の電力量計用バイパス工具２０１は、第１の実施の形態の電力量計用バイパス工具１と同じものであるが、第２のタイプの端子ブロック２６９に対応するため、絶縁部を構成する把持用取っ手２２３に取り付けられる絶縁プレート２８９を備えている。
【００６１】
絶縁プレート２８９は、矩形状に切り出された、絶縁性のシート材料から構成されている。絶縁プレート２８９の一方の長辺２８９Ａの近傍には、長辺２８９Ａに沿って、スリット状の貫通孔２９１が設けられている。貫通孔２９１は、把持用取っ手２２３の形状に合わせた形状になっており、図８に示すように、絶縁プレート２８９の他方の長辺２８９Ｂが電力量計用バイパス工具２０１から離れた位置に位置するように、把持用取っ手２２３に貫通孔２９１を通して、電力量計用バイパス工具２０１に絶縁プレート２８９を取り付けるようになっている。これにより、第２の実施の形態と同様、作業者の親指が位置する領域を越えて延びる絶縁部を構成することができる。したがって、第３の実施の形態のように、絶縁プレート２８９を備えて、把持用取っ手２２３を利用して電力量計用バイパス工具２０１に取り付けるようにすれば、第１の実施の形態の電力量計用バイパス工具１の設計を変更することなく、第１のタイプ及び第２のタイプの端子ブロックの複数のタイプの端子ブロックに対応可能な電力量計用バイパス工具を得ることが可能である。
【００６２】
［第４の実施の形態］
図９は、第４の実施の形態の電力量計用バイパス工具を示す図であり、（Ａ）は、電力量計用バイパス工具と電力量計用バイパス工具を取り付ける第１のタイプの端子ブロックを示す斜視図であり、（Ｂ）は、電力量計用バイパス工具を第１のタイプの端子ブロックに取り付けた状態を示す斜視図である。図９には、図３に示した実施の形態と同じ部材には、図３に付した符号の数に３００の数を加えた数の符号を付して説明を省略する。
【００６３】
図９（Ａ）に示すように、第４の実施の形態の電力量計用バイパス工具３０１は、ケース半部３１３の一対の短辺３１８Ａ，３１８Ｂから後方方向Ｒｅに延びる一対のガイド壁３９３Ａ，３９３Ｂが一体に設けられている。ケース３０３の第１の方向Ｄ１の寸法は、端子ブロック３６９の第１の方向Ｄ１の寸法とほぼ同じになっており、その外側に一対のガイド壁３９３Ａ，３９３Ｂが配置されている。そのため、電力量計用バイパス工具３０１を端子ブロック３６９に対する左右方向が適切になるよう位置合わせをして押し付けると、一対のガイド壁３９３Ａ，３９３Ｂが端子ブロック３６９の両側面に沿って移動し、端子ブロック３６９を挟むようになり、端子ブロック３６９の適切な位置に電力量計用バイパス工具３０１を取り付けることができる。
【００６４】
これに対して、電力量計用バイパス工具３０１の端子ブロック３６９に対する左右方向の位置がずれた状態で端子ブロック３６９に押し付けると、一対のガイド壁３９３Ａ，３９３Ｂのいずれかが端子ブロック３６９に接触してしまう。そのため、電力量計用バイパス工具３０１の接続端子部３４８，３４９，３５８，３５９（特に端子接触部３４８Ａ，３４９Ａ，３５８Ａ，３５９Ａ）が端子ブロック３６９に接触することがなく、接続端子部３４８，３４９，３５８，３５９が誤って電線を固定するねじＮに触れてしまうことがなくなる。
【００６５】
［第５の実施の形態］
図１０は、第５の実施の形態の電力量計用バイパス工具を示す図であり、（Ａ）は、電力量計用バイパス工具と電力量計用バイパス工具を取り付ける第１のタイプの端子ブロックを示す斜視図であり、（Ｂ）は、電力量計用バイパス工具を第１のタイプの端子ブロックに取り付けた状態を示す斜視図である。図１０には、図９に示した実施の形態と同じ部材には、図９に付した符号の数に１００の数を加えた数の符号を付して説明を省略する。
【００６６】
第５の実施の形態の電力量計用バイパス工具４０１は、ケース半部４１３に固定された１つのガイド壁構成部材４９０を備えている。ガイド壁構成部材４９０は、ケース半部４１３に沿って延びる固定部４９２と、一対のガイド壁４９３Ａ，４９３Ｂとから構成されており、固定部４９２には、貫通孔４９４，４９４が形成されている。ガイド壁構成部材４９０は、貫通孔４９４，４９４に通した固定金具４９５，４９５を用いて、ケース半部４１３に固定されている。
【００６７】
［第６の実施の形態］
図１１は、第６の実施の形態の電力量計用バイパス工具を示す図であり、（Ａ）は、電力量計用バイパス工具と電力量計用バイパス工具を取り付ける第１のタイプの端子ブロックを示す斜視図であり、（Ｂ）は、電力量計用バイパス工具を第１のタイプの端子ブロックに取り付けた状態を示す斜視図である。図１１には、図１０に示した実施の形態と同じ部材には、図１０に付した符号の数に１００の数を加えた数の符号を付して説明を省略する。
【００６８】
第６の実施の形態の電力量計用バイパス工具５０１は、ケース半部５１３に固定された一対の分割ガイド壁構成部材５９０Ａ，５９０Ｂを備えている。分割ガイド壁構成部材５９０Ａは、固定部５９２Ａと、ガイド壁５９３Ａとから構成されており、固定部５９２Ａには、上下方向に並んだ２つ１組の２組の貫通孔５９４，５９４と５９４´，５９４´が形成されている。また、分割ガイド壁構成部材５９０Ｂは、固定部５９２Ｂと、ガイド壁５９３Ｂとから構成されており、固定部５９２Ｂには、上下方向に並んだ２つ１組の２組の貫通孔５９４，５９４と５９４´，５９４´が形成されている。一対の分割ガイド壁構成部材５９０Ａ，５９０Ｂは、貫通孔５９４の組に通した固定金具５９５を用いてケース半部５１３に固定されている。本実施の形態では、貫通孔５９４の組を用いて分割ガイド壁構成部材５９０Ａ，５９０Ｂを固定しているが、取付対象の端子ブロックの左右方向の寸法に合わせて貫通孔５９４´の組を用いて分割ガイド壁構成部材５９０Ａ，５９０Ｂを固定できることに本実施の形態の利点がある。
【００６９】
上記実施の形態は、一例として記載したものであり、その要旨を逸脱しない限り、本実施例に限定されるものではない。例えば、本発明による電力量計用バイパス工具を取り付け可能な端子ブロックは上記例で示したタイプの端子ブロックに限られるものではなく、２線式の３０Ａ用のスマートメータの端子ブロックや、３線式の６０Ａ用のスマートメータの端子ブロックなどに取り付けられるように構成を変更することが可能である。２線式の３０Ａ用のスマートメータの端子ブロックの場合には、ブスバは１本または２本である。この場合も、端子ブロックの形状に合わせて、絶縁部を備えるようにすることができる。また、把持用取っ手は、ケースと一体に成形されたものとしたが、例えば、ケースとは別部材により構成し、ケース半部にねじ止めや嵌め合わせにより取り付けられるタイプのものとしてもよい。このようにすれば、ケースの成形加工が容易になる。また、取り付ける際に、ケース内に収納されているブスバを介して固定する固定構造にすれば、ブスバを利用してより強固に把持用取っ手を固定することができる。
【産業上の利用可能性】
【００７０】
本発明によれば、電力量計の端子ブロックの端子部分に設けられた雌ねじ部を利用して、端子ブロックに電力量計用バイパス工具をねじ止めする際及び取り外す際に、ねじの落下を防ぎ、また、電力量計用バイパス工具を固定する作業により、端子ブロックの端子を確実に短絡することができる電力量計用バイパス工具を得ることができる。また、本発明によれば、耐久性に優れ、部品交換が容易な電力量計用バイパス工具を得ることができる。さらに、本発明によれば、搬送時の利便性が高い電力量計用バイパス工具を得ることができる。また、把持しやすく、ねじの締め付け作業がしやすい形状を有する電力量計用バイパス工具を得ることができる。また、作業者の把持する手が感電することを防止することが可能な電力量計用バイパス工具を得ることができる。さらに、複数タイプの端子ブロックに対応可能な電力量計用バイパス工具を得ることができる。
【符号の説明】
【００７１】
１  電力量計用バイパス工具
３  ケース
５，７  ブスバ
９  ねじ
９Ａ  雄ねじ部
９Ｂ  ねじ頭部
９Ｃ  非ねじ部
１１  ねじ止め部材（筒体）
１１Ａ  小径部
１１Ｂ  大径部
１３，１５  ケース半部
１７，２１  （ケース半部１３の）長辺
１９  ケース側貫通孔
１９Ａ  隔壁部
１９Ｂ  ねじ止め部材支持部
２０  位置決め用膨出部
２３  把持用取っ手
２５  握り部
２７  脚部
２９  （ケース半部１３の）短辺
３１  係合部
３３  被係合部
３７  電線表示
３９，４１  ブスバ収納凹部
４３  係止片
４５  （ケース半部１５の）長辺
４７  開口部
４８，４９  接続端子部
４８Ａ，４９Ａ  端子接触部
４８Ｂ，４９Ｂ  直交部
４８Ｃ，４９Ｃ  端子部側貫通孔
５１，５３  係止片
５５  Ｔ字形係止片
５７  開口部
５８，５９  接続端子部
５８Ａ，５９Ａ  端子接触部
５８Ｂ，５９Ｂ  直交部
５８Ｃ，５９Ｃ  端子部側貫通孔
６１  ワッシャー
６３  コイルばね
６５  突出部
６７  雌ねじ部
６９  端子ブロック
７１  端子ブロック本体
７３Ａ，７３Ｂ、７５Ａ，７５Ｂ、７７Ａ，７７Ｂ  一対の端子
７９Ａ，７９Ｂ、８１Ａ，８１Ｂ、８３Ａ，８３Ｂ  開口部
【図１】
0006676315.tif 000002
【図２】
0006676315.tif 000003
【図３】
0006676315.tif 000004
【図４】
0006676315.tif 000005
【図５】
0006676315.tif 000006
【図６】
0006676315.tif 000007
【図７】
0006676315.tif 000008
【図８】
0006676315.tif 000009
【図９】
0006676315.tif 000010
【図１０】
0006676315.tif 000011
【図１１】
0006676315.tif 000012